(57)【要約】【課題】カーポート、庇等において、屋根部が開閉できるようにする。【解決手段】左右に相対して設けた支柱間に取り付けた固定枠体に相対して設けられた移動枠体、該固定枠体を構成する辺、及びこの辺に対向する該移動枠体を構成する辺を連結するパンタ機構とからなり、このパンタ機構により固定枠体に対して移動枠体が伸縮自在に動くようにし、更にパンタ機構が開いた状態で移動枠体には複数の紐等により支柱の上部位置に取付けられた桁を介してその桁より下部の支柱間に設けた巻き取り軸に連結された装置において、複数の紐等の上面に伸縮／又は屈曲可能な材料等を取付けて屋根部を構成し、屋根部を収納する時はパンタ機構を畳み，即ち移動枠体を固定枠体側に移動することにより、複数の紐等と一緒に巻き取り軸に巻き取り収納し、屋根部を構成する時はパンタ機構を開き、移動枠体を固定枠体より引き離すことにより屋根部が構成できる日覆装置。【選択図】図１
0003131983.tif 000002
【実用新案登録請求の範囲】
【請求項１】
左右に相対して設けた支柱間に取付けた固定枠体に相対して設けられた移動枠体、該固定枠体を構成する辺，及びこの辺に対向する該移動枠体を構成する辺を連結するパンタ機構とからなり、このパンタ機構により固定枠体に対して移動枠体が伸縮自在に動くようにされており、更に移動枠体には複数の紐等により支柱の上部位置に取付けられた桁を介してその桁より下部の支柱間に設けた巻き取り軸に連結され、パンタ機構が畳まれ、移動枠体が固定枠体側に移動する時、複数の紐等が巻き取られるようにし、さらにパンタ機構が開いた状態を維持する為にパンタ機構の交点３，３′間隔を固定する位置決め材或いは固定枠体４と移動枠体４′の間隔を固定する巾決め材等を使用する装置において、複数の紐等の上面に伸縮／又は屈曲可能な材料等を取付けて屋根部を構成して使用する日覆装置であって、屋根部を構成する伸縮／又は屈曲可能な材料等が複数の紐等と共に巻き取り軸に巻き取られることにより、あるいは巻き取らず固定枠体の背面に錘、自重或いはバネ等で下方向にスライド移動することにより屋根部が開閉できる屋根部の伸縮自在な日覆装置。
【請求項２】
パンタ機構の交点及び移動枠体側のパンタ機構スライド軸をそれぞれワイヤー等で固定枠体側パンタ機構固定軸の真上の桁の位置に連結されパンタ機構及び移動枠体の自重による下方への垂れを少なくした請求項１記載の屋根部の伸縮自在な日覆装置。
【考案の詳細な説明】
【技術分野】
【０００１】  本考案はカーポート、テラス、テント、庇、簾に関するものである。
【背景技術】
【０００２】片持梁構造のカーポート、テラス、庇等は支柱から張り出した梁、桁の自重による垂れを防ぐ為に、強度のある材料が必要で、高価な商品になっている。
又これらの商品の屋根部分は固定されており屋根部が必要無い時があっても取り除くことが出来ない構造になっております。
【考案の開示】
【考案が解決しようとする課題】
【０００３】カーポート、テラス、庇等の目的は太陽の日陰確保、あるいは洗濯干しには雨に対しての保護でありますが開放感あるいは洗濯物の直射日光による消毒、乾燥等屋根部分の必要が無いときには容易に屋根部を取り除き、屋根部が必要な時は容易に構成できるカーポート，テラス、庇等の商品を提供する。
【課題を解決する為の手段】
【０００４】  本考案はパンタ機構とワイヤー、紐等の構成により屋根部が開閉できるカーポート、テラス、テント、庇等の商品を提供する。
【０００５】  左右に相対して設けた支柱間に取付けた固定桁（以後固定枠体と言う）に相対して設けられた移動桁（以後移動枠体と言う）、該固定枠体を構成する辺、及びこの辺に対向する該移動枠体を構成する辺を連結するパンタ機構とからなり、このパンタ機構により該固定枠体に対して該移動枠体が伸縮自在に動くように構成され、
【０００６】  更に移動枠体には複数のワイヤー、紐、針金等（以後紐等と言う）により支柱の上部に設けた桁を介してその桁より下部の支柱間に設けた巻き取り軸に連結されパンタ機構が畳まれて、移動枠体が固定枠体側に移動する時、複数の紐等が巻き取られるようにし、さらにパンタ機構が開いた状態を維持する為にパンタ機構の交点３，３′の間隔を固定する位置決め材或いは固定枠体４と移動枠体４′の間隔を固定する巾決め材を使用する装置において、複数の紐等の上面には布、簾、軟質の樹脂、銀紙等（以後伸縮／又は屈曲可能な材料等と言う）を取付けて屋根部を構成します。
屋根部として構成している伸縮／又は屈曲可能な材料等はパンタ機構が畳まれ移動枠体が固定枠体側に移動する時は複数の紐等と一緒に巻き取り軸に巻き取られるようになっております。
【０００７】  あるいは複数の紐等だけ巻き取り軸に巻き取られ、伸縮／又は屈曲可能な材料等だけあるいは複数の紐等も伸縮／又は屈曲可能な材料等と一緒に固定枠体の背面に錘、自重あるいはバネ等により下方向にスライド収納することも出来ます。
【０００８】  更にパンタ機構の交点及び移動枠体側スライド軸は固定枠体のパンタ機構回転固定軸上部に位置する桁の位置にそれぞれワイヤー、紐、フラットバー、鉄の丸棒、針金等（以後ワイヤー等と言う）で連結されパンタ機構の交点及びスライド軸の垂れを防ぎます。
又ワイヤー等は各接続点で回動自在に連結されております。
【考案の効果】
【０００９】  支柱上部の桁を介して移動枠体と巻き取り軸を連結している紐等の上面に簾、銀紙、布、ビニールシート等を目的に応じて取付け屋根部を構成したカーポート、テラス、テント、庇等において屋根部が必要な時はパンタ機構を開き，移動枠体を固定枠体に対して水平に離していくと容易に屋根部を構成します。
屋根部の不要な時即ち開放感或いは直射日光確保にはパンタ機構を畳み、移動枠体を固定枠体に近づけることにより、屋根部の収納が容易にできます。
使用方法は特に伸縮の為開閉が１工程で操作できる。
【実施例】
【００１０】  以下に本考案を図面に示す実施例に基づいて説明する。【００１１】  固定枠体４と移動枠体４′を左右対称のパンタ機構（偶数が望ましい）で接続し移動枠体４′が固定枠体４に対して水平且つ平行に移動するように構成されている。
紐８−１から８−６は支柱５，５′の上部に取付けられた桁１０を介してパンタ機構を開いた状態で移動枠体４′と巻き取り軸９を連結しております。
その紐８−１から８−６の上面には伸縮／又は屈曲可能な材料等を取付けます。【００１２】  伸縮／又は屈曲可能な材料等は畳まれる時には巻き取り軸９に紐等と共に、巻取り収納します。【００１３】パンタ機構の各交点３（３′）及び移動枠体４′側スライド軸２（２′）はそれぞれ固定枠体４側パンタ機構回転固定軸１（１′）真上の桁の位置にワイヤー等でそれぞれ連結されております。
それによって、移動枠体４′を固定枠体４に対して水平且つ平行に広げた時にパンタ交点３（３′）及び移動枠体４′側スライド軸２（２′）が自重で垂れ無いように常時水平な面上を移動するように維持されております。【００１４】又紐等も桁１０を介して移動枠体４′と巻き取り軸９を連結しておりますので屋根部使用時には移動枠体４′の垂れの防止もできております。
紐等８−１から８−６は用途により、適宜本数を決めて使用しても良い。
【図面の簡単な説明】
【００１５】
【図１】本考案の伸縮／又は屈曲可能な材料等を屋根部分に取り付けていない状態での使用時の正面、平面、左側面（右側面は対称）図である。
【図２】本考案の伸縮／又は屈曲可能な材料等を屋根部分にとりつけていない状態の使用しない時の正面、平面、左側面（右側面は対称）図である。
【図３】本考案の伸縮／又は屈曲可能な材料等を屋根部分にとりつけていない状態での使用時の構造斜視図である。
【図４】本考案の伸縮／又は屈曲可能な材料等を屋根部分にとりつけていない状態での使用しない時の構造斜視図である。
【符号の説明】
【００１６】１、１′はパンタ機構の回転固定軸である。
２、２′はパンタ機構のスライド軸である。
３、３′はパンタ機構の交点である。
４は固定枠体である。
４′は移動枠体である。
５、５′は支柱である。
６、６′はパンタ機構の交点の垂れを防止するワイヤー等である。
７，７′はパンタ機構の移動枠体側スライド軸の垂れを防止するワイヤー等である。
８−１，８−２，８−３，８−４，８−５，８−６は移動枠体と上部の桁を介して巻き取り軸を連結する紐等である。
９は巻き取り軸である。
１０は桁である。
【図１】
0003131983.tif 000003
【図２】
0003131983.tif 000004
【図３】
0003131983.tif 000005
【図４】
0003131983.tif 000006